(57)【要約】  【課題】  ドライブシャーシの振動を簡単な構成で確実に抑えることができる光ピックアップ装置を提供する。  【解決手段】  光ディスクが収納される合成樹脂成型品のメインシャーシ１と、メインシャーシ１内に収納された光ディスクの記録面に対して接近／離間移動するようにメインシャーシ１に一端部２ｃ近傍の支軸３Ａ、３Ｂを中心として回動可能に支持されるとともに、最接近状態で光ディスクの径方向に往復移動する光ヘッドを搭載したドライブシャーシ２と、を備える。メインシャーシ１には、光ディスクに最接近した状態でのドライブシャーシ２の左側部２ａにおける光ディスクに近い方の角部２ａａに弾性的な復元力で押圧接触する第１の押圧突片部１１と、光ディスクに最接近した状態でのドライブシャーシ２の一端部２ｃにおける光ディスクに近い方の角部２ｃａに弾性的な復元力で押圧接触する第２の押圧突片部１２と、がメインシャーシ１と一体成型されている。【選択図】      図１
2006302371.tif 000002
【特許請求の範囲】
【請求項１】
光ディスクが収納される合成樹脂成型品のメインシャーシと、
このメインシャーシ内に収納された前記光ディスクの記録面に対して接近／離間移動す
るように前記メインシャーシに一端部近傍の支軸を中心として回動可能に支持されるとと
もに、最接近状態で前記光ディスクの記録面に沿う径方向に往復移動する光ヘッドを搭載
したドライブシャーシと、を備えた光ピックアップ装置であって、
前記ドライブシャーシが合成樹脂成型品であり、前記ドライブシャーシの前記一端部近
傍の両側部には、前記支軸が互いに同軸上に突出して前記ドライブシャーシと一体成型に
より形成され、
前記メインシャーシには、
前記各支軸を前記ドライブシャーシの他端部側から受け入れて、前記各支軸の周面のう
ちの前記他端部へ向く方向での周面に接触する第１の接触面、及び前記他端部へ向く方向
と直角な方向でのそれぞれの周面に接触する第２、第３の接触面、並びに前記各支軸の端
面に接触する第４の接触面を有する受入れ部と、
前記各第１の接触面へ向けて突出するとともに、前記ドライブシャーシの前記各側部に
向く方向とは反対方向へ押圧されて弾性変形された後、前記各受入れ部に前記各支軸が受
け入れられ、次いで押圧が解除されて弾性変形が戻った後、前記各支軸の周面のうちの前
記一端部へ向く方向での周面に先端面が接触する突片部と、
前記ドライブシャーシが前記光ディスクに最接近した状態で、前記ドライブシャーシの
一側部における前記光ディスクに近い方の角部に弾性的な復元力で押圧接触する第１の押
圧突片部と、が前記メインシャーシと一体成型により形成された光ピックアップ装置にお
いて、
更に前記メインシャーシには、前記ドライブシャーシが前記光ディスクに最接近した状
態で、前記ドライブシャーシの前記一端部における前記光ディスクに近い方の角部に弾性
的な復元力で押圧接触する第２の押圧突片部が前記メインシャーシと一体成型により形成
されていることを特徴とする光ピックアップ装置。
【請求項２】
光ディスクが収納される合成樹脂成型品のメインシャーシと、
このメインシャーシ内に収納された前記光ディスクの記録面に対して接近／離間移動す
るように前記メインシャーシに一端部近傍の支軸を中心として回動可能に支持されるとと
もに、最接近状態で前記光ディスクの記録面に沿う径方向に往復移動する光ヘッドを搭載
したドライブシャーシと、を備えた光ピックアップ装置において、
前記メインシャーシには、
前記ドライブシャーシが前記光ディスクに最接近した状態で、前記ドライブシャーシの
一側部における前記光ディスクに近い方の角部に弾性的な復元力で押圧接触する第１の押
圧突片部と、
前記ドライブシャーシが前記光ディスクに最接近した状態で、前記ドライブシャーシの
前記一端部における前記光ディスクに近い方の角部に弾性的な復元力で押圧接触する第２
の押圧突片部と、が前記メインシャーシと一体成型により形成されていることを特徴とす
る光ピックアップ装置。
【請求項３】
前記ドライブシャーシの前記一端部近傍の両側部には、前記支軸が互いに同軸上に突出
して設けられ、
前記メインシャーシには、
前記各支軸を前記ドライブシャーシの他端部側から受け入れて、前記各支軸の周面のう
ちの前記他端部へ向く方向での周面に接触する第１の接触面、及び前記他端部へ向く方向
と直角な方向でのそれぞれの周面に接触する第２、第３の接触面、並びに前記各支軸の端
面に接触する第４の接触面を有する受入れ部と、
前記各第１の接触面へ向けて突出するとともに、前記ドライブシャーシの前記各側部に
向く方向とは反対方向へ押圧されて弾性変形された後、前記各受入れ部に前記各支軸が受
け入れられ、次いで押圧が解除されて弾性変形が戻った後、前記各支軸の周面のうちの前
記一端部へ向く方向での周面に先端面が接触する突片部と、が前記メインシャーシと一体
成型により形成されていることを特徴とする請求項２に記載の光ピックアップ装置。
【請求項４】
前記ドライブシャーシが合成樹脂成型品であり、前記各支軸が前記ドライブシャーシと
一体成型により形成されていることを特徴とする請求項３に記載の光ピックアップ装置。
【発明の詳細な説明】
【技術分野】
【０００１】
本発明は、情報記録媒体であるＣＤやＤＶＤ等の光ディスクに対して情報の再生や記録
を行うための光ピックアップ装置に関する。
【背景技術】
【０００２】
一般に、光ピックアップ装置は、図４及び図５に示すように、大きくは、メインシャー
シ１と、ドライブシャーシ２とから外形が構成される（例えば、特許文献１参照）。ここ
での図４は従来一般の光ピックアップ装置の組立て後の状態を示す上面図、図５はその光
ピックアップ装置の分解状態を示す上面図である。
【０００３】
メインシャーシ１は、例えばポリスチレン（ＰＳ）等の合成樹脂の成型品であり、この
メインシャーシ１には、不図示のディスクトレイが正面（図４及び図５では下側）から内
外（図４及び図５では上下方向）へ挿脱可能に支持されている。そして、メインシャーシ
１の外部へ引き出されたディスクトレイ上に光ディスクが載置され、そのディスクトレイ
がメインシャーシ１の内部へ送り込まれることによって、メインシャーシ１内に光ディス
クが収納される。
【０００４】
ドライブシャーシ２は、例えばポリフェニレンエーテル（ＰＰＥ）等の合成樹脂の成型
品であり、一端部２ｃ（図４及び図５では上側）近傍の左右両側部２ａ、２ｂ（図４及び
図５では左右の側部）には、互いに同軸上に突出する支軸３Ａ、３Ｂがドライブシャーシ
２と一体成型により形成されている。これらの各支軸３Ａ、３Ｂがメインシャーシ１に回
動可能に支持される。その支持構造の詳細は後述する。そして、ドライブシャーシ２は、
メインシャーシ１に対して各支軸３Ａ、３Ｂを中心として回動することにより、メインシ
ャーシ１内に収納された光ディスクの記録面（図４及び図５では紙面の裏面側）に対して
接近／離間移動（図４及び図５では紙面に対する垂直方向への移動）する。
【０００５】
また、ドライブシャーシ２には、光ディスクの記録面に記録されている情報を読み取っ
たり、その記録面に情報を書き込んだりするための光ヘッド（不図示）が搭載されている
。更に、ドライブシャーシ２には、光ディスクに最接近した状態で光ディスクを回転させ
るために、光ディスクの中心付近をチャッキングするチャッキングプレート（不図示）や
、このチャッキングプレートに回転力を与えるスピンドルモータ（不図示）等が搭載され
ている。更に、ドライブシャーシ２には、光ディスクに最接近した状態で光ヘッドを光デ
ィスクの記録面に沿う径方向に往復移動させるために、いずれも不図示の光ヘッド走行ガ
イドやラックや歯車や電動モータ等が搭載されている。なお、その電動モータからの駆動
力は、メインシャーシ１に対してのドライブシャーシ２の回動やディスクトレイの挿脱に
も活用される。
【０００６】
続いて、メインシャーシ１によるドライブシャーシ２の各支軸３Ａ、３Ｂの回動可能な
支持構造の詳細について、図４、図５に加え、図６〜図１３を参照しながら説明する。図
６は従来の光ピックアップ装置の組立て後の状態でのメインシャーシによるドライブシャ
ーシの回動支持構造として、ドライブシャーシ２の左右各側部２ａ、２ｂに形成された各
支軸３Ａ、３Ｂのうちで代表的に左側部２ａ側の支軸３Ａ付近を示す上面図である。図７
は図６の下面図、図８は図６のＣ−Ｃ断面図、図９は図６のＤ−Ｄ断面図である。図１０
はその光ピックアップ装置の組立て中の状態での図６と同様の回動支持構造を示す上面図
であり、図１１は図１０の下面図、図１２は図６のＣ−Ｃ断面に相当する図１０のＥ−Ｅ
断面図、図１３は図６のＤ−Ｄ断面に相当する図１０のＦ−Ｆ断面図である。
【０００７】
メインシャーシ１には、支軸３Ａを回動可能に支持するために、受入れ部４と、突片部
５と、がメインシャーシ１と一体成型により形成されている。具体的には、受入れ部４は
、支軸３Ａをドライブシャーシ２の他端部２ｄ側（図４〜図１３では下側）から受け入れ
るものであって、受け入れた支軸３Ａに接触する第１〜第４の接触面４ａ〜４ｄを有する
。第１の接触面４ａは、支軸３Ａの周面のうちの他端部２ｄへ向く方向（図４〜図１３で
は下方向）での周面（図４〜図１３では下側）に接触する。第２、第３の接触面４ｂ、４
ｃは、支軸３Ａの周面のうちの他端部２ｄへ向く方向と直角な方向（図４〜図７、図１０
及び図１１では紙面に垂直方向で、図８、図９、図１２及び図１３では左右方向）でのそ
れぞれ周面に接触する。第４の接触面４ｄは、支軸３Ａの端面（図４〜図６、及び図１０
では左側で、図７及び図１１では右側で、図８、図９、図１２及び図１３では紙面の裏面
側）に接触する。ここで、第２の接触面４ｂと第３の接触面４ｃとの間の隙間は、支軸３
Ａの軸径とほぼ同じ寸法に設計されている。
【０００８】
他方、突片部５は、第１の接触面４ａへ向けて突出し、その先端面５ａと第１の接触面
４ａと間の隙間が支軸３Ａの軸径よりも若干大きい寸法に設計されている。この突片部５
からは、図４〜図７、図１０及び図１１での紙面に対する裏側へ向けて（図８、図９、図
１２及び図１３での右方向へ向けて）、レバー５ｂが突出している。そして、このレバー
５ｂがドライブシャーシ２の左側部２ａに向く方向とは反対方向（図４〜図６、及び図１
０では左方向で、図７及び図１１では右方向で、図８、図９、図１２及び図１３では紙面
の裏面側）へ押圧されることにより（図１０及び図１１の実線矢印参照）、突片部５がそ
の押圧方向に弾性変形する。その押圧が解除されると、突片部５の弾性変形が復元力によ
って戻る（図６及び図７の実線矢印参照）。
【０００９】
なお、ドライブシャーシ２の右側部２ｂに形成された支軸３Ｂに対しても、同様の受入
れ部４及び突片部５が左右対称に形成されている。
【００１０】
このようなメインシャーシ１へのドライブシャーシ２の組付け手順としては、先ず、図
１０〜図１３に示すように、メインシャーシ１における左右の各突片部５、５がレバー５
ｂへの押圧によって弾性変形される。これにより、左右の各受入れ部４、４が開放される
。その後、ドライブシャーシ２における左右の各支軸３Ａ、３Ｂを各受入れ部４、４に挿
入する。次いで、図６〜図９に示すように、レバー５ｂへの押圧が解除されて、各突片部
５、５の弾性変形が戻る。
【００１１】
こうして、各支軸３Ａ、３Ｂは、各受入れ部４、４の各第１〜第４の接触面４ａ〜４ｄ
、４ａ〜４ｄに接触しつつ、残った一端部２ｃへ向く方向（図４〜図１３では上方向）で
の周面（図４〜図１３では上側）が各突片部５、５の先端面５ａ、５ａに接触した状態に
なり、その結果としてドライブシャーシ２がメインシャーシ１に対して回動可能になる。
【００１２】
ところで、光ピックアップ装置においては、光ディスクの回転に起因して生じるドライ
ブシャーシ２の不用意な振動を抑えることが重要である。その振動が過大になると、光デ
ィスクに対する情報の再生や記録が困難になる状況が生じたり、不快な振動音が生じたり
するからである。このような事態は、特に、重心が偏芯した光ディスク（以下、「偏重心
ディスク」と記すことがある）の場合に顕著である。
【００１３】
そのため、従来の光ピックアップ装置でのメインシャーシ１には、図４、図５及び図１
４に示すように、ドライブシャーシ２の他端部２ｄ近傍での一側部である左側部２ａへ向
けて突出して、その先端部分１１ａがドライブシャーシ２のその左側部２ａと上面視で重
なる第１の押圧突片部１１が、メインシャーシ１と一体成型により形成されている。その
第１の押圧突片部１１は、ドライブシャーシ２が回動して光ディスクに最接近した状態で
、ドライブシャーシ２の左側部２ａにおける光ディスクに近い方の角部２ａａに先端部分
１１ａが弾性的な復元力で押圧接触し、ドライブシャーシ２を支軸３Ａ、３Ｂと平行な左
右方向のうちの右方向、及び離間する方向へ弾性的に押圧する（図１４（ｂ）参照）。ち
なみに、ドライブシャーシ２が回動して光ディスクから離間した状態では、第１の押圧突
片部１１は、ドライブシャーシ２とは接触せずに離れ、弾性的な復元力でもとの形状に戻
った状態にある（図１４（ａ）参照）。
【００１４】
このような光ピックアップ装置では、光ディスクに対して情報の再生や記録が行われる
際、光ディスクに最接近したドライブシャーシ２が第１の押圧突片部１１より右方向及び
離間方向への弾性的な押圧力を受けて付勢されているため、ドライブシャーシ２に生じた
振動は、その第１の押圧突片部１１によって減衰されるようになる。
【特許文献１】特開平１０−２１６８０号公報
【発明の開示】
【発明が解決しようとする課題】
【００１５】
しかし、上記した従来の光ピックアップ装置では、ドライブシャーシ２に生じた振動の
うち、支軸３Ａ、３Ｂと平行な左右方向の振動、及び接近／離間方向となる上下方向の振
動は、第１の押圧突片部１１による振動減衰作用で抑えられるものの、残るそれらと直角
な方向である前後方向の振動は、第１の押圧突片部１１によっては十分に抑え切れない。
そのため、偏重心ディスクを扱った場合、依然、情報の再生や記録が困難になったり、不
快な振動音が発生したりすることがあった。
【００１６】
もっとも、別途スポンジやゴム等の緩衝部材をドライブシャーシ２に装着することで、
ドライブシャーシ２に生じた振動を抑えるように図ったものもあるが、部品点数が増え、
コストアップを伴うという不都合があり、決して得策とは言えない。
【００１７】
そこで本発明は、上記の問題に鑑みてなされたものであり、ドライブシャーシに生じた
振動を簡単な構成で確実に抑えることができる光ピックアップ装置を提供することを目的
とするものである。
【課題を解決するための手段】
【００１８】
上記目的を達成するため、本発明は、光ディスクが収納される合成樹脂成型品のメイン
シャーシと、このメインシャーシ内に収納された前記光ディスクの記録面に対して接近／
離間移動するように前記メインシャーシに一端部近傍の支軸を中心として回動可能に支持
されるとともに、最接近状態で前記光ディスクの記録面に沿う径方向に往復移動する光ヘ
ッドを搭載したドライブシャーシと、を備えた光ピックアップ装置であって、前記ドライ
ブシャーシが合成樹脂成型品であり、前記ドライブシャーシの前記一端部近傍の両側部に
は、前記支軸が互いに同軸上に突出して前記ドライブシャーシと一体成型により形成され
、前記メインシャーシには、前記各支軸を前記ドライブシャーシの他端部側から受け入れ
て、前記各支軸の周面のうちの前記他端部へ向く方向での周面に接触する第１の接触面、
及び前記他端部へ向く方向と直角な方向でのそれぞれの周面に接触する第２、第３の接触
面、並びに前記各支軸の端面に接触する第４の接触面を有する受入れ部と、前記各第１の
接触面へ向けて突出するとともに、前記ドライブシャーシの前記各側部に向く方向とは反
対方向へ押圧されて弾性変形された後、前記各受入れ部に前記各支軸が受け入れられ、次
いで押圧が解除されて弾性変形が戻った後、前記各支軸の周面のうちの前記一端部へ向く
方向での周面に先端面が接触する突片部と、前記ドライブシャーシが前記光ディスクに最
接近した状態で、前記ドライブシャーシの一側部における前記光ディスクに近い方の角部
に弾性的な復元力で押圧接触する第１の押圧突片部と、が前記メインシャーシと一体成型
により形成された光ピックアップ装置において、次の点を特徴とする。更に前記メインシ
ャーシには、前記ドライブシャーシが前記光ディスクに最接近した状態で、前記ドライブ
シャーシの前記一端部における前記光ディスクに近い方の角部に弾性的な復元力で押圧接
触する第２の押圧突片部が前記メインシャーシと一体成型により形成されている。
【００１９】
このような構成にすれば、光ディスクに対して情報の再生や記録が行われる際、光ディ
スクに最接近したドライブシャーシは、第１の押圧突片部より、支軸と平行な方向のうち
の一方向、及び離間する方向への弾性的な押圧力を受けて付勢されるとともに、第２の押
圧突片部より、離間する方向、及びそれらの方向と直角な方向のうちの他端部へ向く方向
への弾性的な押圧力を受けて付勢される。そのため、ドライブシャーシに生じた振動は、
第１の押圧突片部及び第２の押圧突片部によって残らず減衰されるようになる。これは、
第１の押圧突片部及び第２の押圧突片部をドライブシャーシと一体成型することで簡単に
得られる。
【００２０】
また上記目的を達成するために本発明は、光ディスクが収納される合成樹脂成型品のメ
インシャーシと、このメインシャーシ内に収納された前記光ディスクの記録面に対して接
近／離間移動するように前記メインシャーシに一端部近傍の支軸を中心として回動可能に
支持されるとともに、最接近状態で前記光ディスクの記録面に沿う径方向に往復移動する
光ヘッドを搭載したドライブシャーシと、を備えた光ピックアップ装置において、次の点
を特徴とする。前記メインシャーシには、前記ドライブシャーシが前記光ディスクに最接
近した状態で、前記ドライブシャーシの一側部における前記光ディスクに近い方の角部に
弾性的な復元力で押圧接触する第１の押圧突片部と、前記ドライブシャーシが前記光ディ
スクに最接近した状態で、前記ドライブシャーシの前記一端部における前記光ディスクに
近い方の角部に弾性的な復元力で押圧接触する第２の押圧突片部と、が前記メインシャー
シと一体成型により形成されている。
【００２１】
このような構成にすれば、光ディスクに対して情報の再生や記録が行われる際、光ディ
スクに最接近したドライブシャーシは、第１の押圧突片部より、支軸と平行な方向のうち
の一方向、及び離間する方向への弾性的な押圧力を受けて付勢されるとともに、第２の押
圧突片部より、離間する方向、及びそれらの方向と直角な方向のうちの他端部へ向く方向
への弾性的な押圧力を受けて付勢される。そのため、ドライブシャーシに生じた振動は、
第１の押圧突片部及び第２の押圧突片部によって残らず減衰されるようになる。これは、
第１の押圧突片部及び第２の押圧突片部をドライブシャーシと一体成型することで簡単に
得られる。
【００２２】
ここで、実用性を踏まえると、前記ドライブシャーシの前記一端部近傍の両側部には、
前記支軸が互いに同軸上に突出して設けられ、前記メインシャーシには、前記各支軸を前
記ドライブシャーシの他端部側から受け入れて、前記各支軸の周面のうちの前記他端部へ
向く方向での周面に接触する第１の接触面、及び前記他端部へ向く方向と直角な方向での
それぞれの周面に接触する第２、第３の接触面、並びに前記各支軸の端面に接触する第４
の接触面を有する受入れ部と、前記各第１の接触面へ向けて突出するとともに、前記ドラ
イブシャーシの前記各側部に向く方向とは反対方向へ押圧されて弾性変形された後、前記
各受入れ部に前記各支軸が受け入れられ、次いで押圧が解除されて弾性変形が戻った後、
前記各支軸の周面のうちの前記一端部へ向く方向での周面に先端面が接触する突片部と、
が前記メインシャーシと一体成型により形成されていることが好ましい。
【００２３】
この場合、前記ドライブシャーシが合成樹脂成型品であり、前記各支軸が前記ドライブ
シャーシと一体成型により形成されていることが好ましい。
【発明の効果】
【００２４】
本発明の光ピックアップ装置によれば、偏重心ディスクを扱った場合であっても、その
回転に起因して生じたドライブシャーシの振動は、ドライブシャーシと一体成型すること
で簡単に得られた第１の押圧突片部及び第２の押圧突片部によって残らず減衰されて確実
に抑えられるため、情報の再生や記録を支障無く行えるし、不快な振動音の発生も防止で
きる。
【発明を実施するための最良の形態】
【００２５】
以下に、本発明の光ピックアップ装置の一実施形態について、図面を参照しながら詳述
する。図１は本発明の一実施形態である光ピックアップ装置の組立て後の状態を示す上面
図、図２はその光ピックアップ装置の分解状態を示す上面図である。図３は図１のＡ−Ａ
断面図であって、同図（ａ）はドライブシャーシが下降した状態、すなわち回動して光デ
ィスクから最離間した状態を示し、同図（ｂ）はドライブシャーシが上昇した状態、すな
わち回動して光ディスクに最接近した状態を示している。なお、これらの図中で、図４〜
図１４と同じ名称で同じ機能を果たす部分には同一の符号を付し、重複する説明は適宜省
略する。
【００２６】
本実施形態では、従来の光ピックアップ装置での構成と同様に、ドライブシャーシ２の
左右両側部２ａ、２ｂには、互いに同軸上に突出する支軸３Ａ、３Ｂがドライブシャーシ
２と一体成型により形成されている。また、メインシャーシ１には、支軸３Ａ、３Ｂを回
動可能に支持するために、左右対称に、受入れ部４、４と、突片部５、５と、がメインシ
ャーシ１と一体成型により形成されている。更にまた、メインシャーシ１には、光ディス
クに最接近したドライブシャーシ２の左側部２ａにおける角部２ａａに押圧接触する第１
の押圧突片部１１が、メインシャーシ１と一体成型により形成されている。
【００２７】
ここで、本実施形態でのメインシャーシ１には、ドライブシャーシ２の一端部２ｃへ向
けて突出して、その先端部分１２ａがドライブシャーシ２のその一端部２ｃと上面視で重
なる第２の押圧突片部１２が、メインシャーシ１と一体成型により形成されている。その
第２の押圧突片部１２は、ドライブシャーシ２が回動して光ディスクに最接近した状態で
、ドライブシャーシ２の一端部２ｃにおける光ディスクに近い方の角部２ｃａに先端部分
１２ａが弾性的な復元力で押圧接触し、ドライブシャーシ２を一端部２ｃから他端部２ｄ
へ向く前方向、及び離間する方向へ弾性的に押圧する（図３（ｂ）参照）。ちなみに、ド
ライブシャーシ２が回動して光ディスクから離間した状態では、第２の押圧突片部１２は
、ドライブシャーシ２の一端部２ｃのその角部２ｃａに先端部分１２ａが弾性的な復元力
で押圧接触したままの状態にある（図３（ａ）参照）。
【００２８】
なお、このような第２の押圧突片部１２は、メインシャーシ１を成型するための金型の
彫込み形状を局部的に修正することで簡単に得られる。勿論、第１の押圧突片部１１もメ
インシャーシ１と一体成型されるため、簡単に得られる。
【００２９】
このような構成にすると、光ディスクに対して情報の再生や記録が行われる際、光ディ
スクに最接近したドライブシャーシ２は、第１の押圧突片部１１より、右方向及び離間方
向への弾性的な押圧力を受けて付勢されるとともに、第２の押圧突片部１２より、離間方
向及びそれらの方向と直角な前方向への弾性的な押圧力を受けて付勢される。そのため、
ドライブシャーシに生じた振動のうち、左右方向の振動及び上下方向の振動は、第１の押
圧突片部１１によって減衰されるようになり、上下方向の振動及び残る前後方向の振動は
、第２の押圧突片部１２によって減衰されるようになる。従って、偏重心ディスクを扱っ
た場合であっても、その回転に起因して生じたドライブシャーシ２の振動は、第１の押圧
突片部１１及び第２の押圧突片部１２によって残らず減衰されて確実に抑えられるため、
情報の再生や記録を支障無く行えるし、不快な振動音の発生も防止できる。
【００３０】
その他本発明は上記の実施形態に限定されず、本発明の趣旨を逸脱しない範囲で、種々
の変更が可能である。例えば、ドライブシャーシ２における各支軸３Ａ、３Ｂが予め別部
品として単品で成型され、それがドライブシャーシ２の左右両側部２ａ、２ｂから突出す
るように取り付けられても構わない。
【産業上の利用可能性】
【００３１】
本発明は、光ディスクに対して情報の再生や記録を行うための光ピックアップ装置に有
用である。
【図面の簡単な説明】
【００３２】
【図１】本発明の一実施形態である光ピックアップ装置の組立て後の状態を示す上面図である。
【図２】図１の光ピックアップ装置の分解状態を示す上面図である。
【図３】図１のＡ−Ａ断面図であって、（ａ）はドライブシャーシが光ディスクから最離間した状態を示し、（ｂ）はドライブシャーシが光ディスクに最接近した状態を示す。
【図４】従来一般の光ピックアップ装置の組立て後の状態を示す上面図である。
【図５】図４の光ピックアップ装置の分解状態を示す上面図である。
【図６】本発明にも共通する従来の光ピックアップ装置の組立て後の状態でのメインシャーシによるドライブシャーシの回動支持構造を示す上面図である。
【図７】図６の下面図である。
【図８】図６のＣ−Ｃ断面図である。
【図９】図６のＤ−Ｄ断面図である。
【図１０】本発明にも共通する従来の光ピックアップ装置の組立て中の状態でのメインシャーシによるドライブシャーシの回動支持構造を示す上面図である。
【図１１】図１０の下面図である。
【図１２】図６のＣ−Ｃ断面に相当する図１０のＥ−Ｅ断面図である。
【図１３】図６のＤ−Ｄ断面に相当する図１０のＦ−Ｆ断面図である。
【図１４】図４のＢ−Ｂ断面図であって、（ａ）はドライブシャーシが光ディスクから最離間した状態を示し、（ｂ）はドライブシャーシが光ディスクに最接近した状態を示す。
【符号の説明】
【００３３】
１    メインシャーシ
２    ドライブシャーシ
２ａ    左側部
２ｂ    右側部
２ｃ    一端部
２ｄ    他端部
３Ａ    支軸
３Ｂ    支軸
４    受入れ部
４ａ    第１の接触面
４ｂ    第２の接触面
４ｃ    第３の接触面
４ｄ    第４の接触面
５    突片部
５ａ    先端面
５ｂ    レバー
１１    第１の押圧突片部
１２    第２の押圧突片部
【図１】
2006302371.tif 000003
【図２】
2006302371.tif 000004
【図３】
2006302371.tif 000005
【図４】
2006302371.tif 000006
【図５】
2006302371.tif 000007
【図６】
2006302371.tif 000008
【図７】
2006302371.tif 000009
【図８】
2006302371.tif 000010
【図９】
2006302371.tif 000011
【図１０】
2006302371.tif 000012
【図１１】
2006302371.tif 000013
【図１２】
2006302371.tif 000014
【図１３】
2006302371.tif 000015
【図１４】
2006302371.tif 000016